(57)【要約】【課題】使用後の体液を吸収した吸収体の色を隠蔽できる吸収性物品を提供すること。【解決手段】本発明の吸収性物品１０は、表面シート１、吸収体３及び裏面シート２を備え、表面シート１と吸収体３との間にセカンドシート４が配されている。セカンドシート４は、撥水性であり、複数の凹陥部５を有し、凹陥部５は、肌対向面４Ａ側が凹状となり且つ非肌対向面４Ｂ側が吸収体３に向かって突出し、吸収体３に接触している。セカンドシート４には、セカンドシート４を貫通する貫通孔５ｈが形成されている。【選択図】図１
2019058340.tif 000002
【特許請求の範囲】
【請求項１】
表面シート、吸収体及び裏面シートを備え、該表面シートと該吸収体との間にセカンドシートが配されており、着用者の前後方向に沿う縦方向及び該縦方向に直交する横方向を有する吸収性物品であって、
前記セカンドシートは、撥水性であり、複数の凹陥部を有し、該凹陥部は、前記表面シート側に向けられる肌対向面側が凹状となり且つ前記吸収体側に向けられる非肌対向面側が該吸収体に向かって突出して該吸収体に接触しており、前記セカンドシートを貫通する貫通孔を部分的に有する吸収性物品。
【請求項２】
前記貫通孔は、前記セカンドシートを平面視して、線状である請求項１に記載の吸収性物品。
【請求項３】
前記凹陥部は、前記縦方向に延びる一対の側壁部と、前記横方向に延びる一対の端壁部と、該一対の側壁部及び該一対の端壁部で囲まれた底部とを有し、
前記貫通孔が、前記側壁部又は前記端壁部に形成されている請求項１又は２に記載の吸収性物品。
【請求項４】
前記凹陥部の深さが、該凹陥部の前記横方向における長さよりも小さい請求項１〜３の何れか１項に記載の吸収性物品。
【請求項５】
前記セカンドシートは、前記表面シート側に向けられる面の全面が撥水性である請求項１〜４の何れか１項に記載の吸収性物品。
【請求項６】
前記セカンドシートは、複数の微細孔を全面に有している請求項１〜５の何れか１項に記載の吸収性物品。
【請求項７】
前記微細孔の開孔径が２μｍ以下である請求項６に記載の吸収性物品。
【請求項８】
前記セカンドシートは、ポリオレフィン樹脂から形成され且つ粒状物を含む請求項１〜７の何れか１項に記載の吸収性物品。
【発明の詳細な説明】
【技術分野】
【０００１】
本発明は、生理用ナプキン等の吸収性物品に関する。
【背景技術】
【０００２】
従来より、体液を速やかに吸収体に透過させるとともに、逆戻りを防止する観点から、表面シートと吸収体との間にセカンドシートを介在させた生理用ナプキン等の吸収性物品が知られている（例えば、特許文献１）。特許文献１には、表面シート側から裏面シート側に突出する凹部を備え、該凹部に親水処理の施された開孔部が形成されているセカンドシートが記載されている。
【０００３】
これとは別の技術として、本出願人は、吸収体に向かって突出する凹陥部を有し、凹陥部を構成する壁部に貫通する開孔が形成された吸収性物品用の表面シートを提案した（特許文献２参照）。
【先行技術文献】
【特許文献】
【０００４】
【特許文献１】特開２０１２−５７４４号公報
【特許文献２】特開２０１０−９４３２０号公報
【発明の概要】
【発明が解決しようとする課題】
【０００５】
特許文献１に記載のセカンドシートは、親水処理が施されているため、該親水処理の施された部分に体液が留まり易く、経血等の体液を吸収した吸収体の色を隠蔽することが難しい。また、特許文献２には、特許文献２に記載の表面シートを、セカンドシートに用いることに関して、何ら記載されていない。
【０００６】
したがって、本発明の課題は、経血等の体液を吸収した吸収体の色を隠蔽できる吸収性物品を提供することに関する。
【課題を解決するための手段】
【０００７】
本発明は、表面シート、吸収体及び裏面シートを備え、該表面シートと該吸収体との間にセカンドシートが配されており、着用者の前後方向に沿う縦方向及び該縦方向に直交する横方向を有する吸収性物品であって、前記セカンドシートは、撥水性であり、複数の凹陥部を有し、該凹陥部は、前記表面シート側に向けられる肌対向面側が凹状となり且つ前記吸収体側に向けられる非肌対向面側が該吸収体に向かって突出して該吸収体に接触しており、前記セカンドシートを貫通する貫通孔を部分的に有する吸収性物品を提供するものである。
【発明の効果】
【０００８】
本発明の吸収性物品によれば、経血等の体液を吸収した吸収体の色を隠蔽できる。
【図面の簡単な説明】
【０００９】
【図１】図１は、本発明の好ましい一実施形態の吸収性物品を模式的に示す断面図である。
【図２】図２は、図１に示す吸収性物品の備えるセカンドシートを模式的に示す斜視図である。
【図３】図３は、図２に示すセカンドシートを模式的に示す平面図である。
【発明を実施するための形態】
【００１０】
以下、本発明をその好ましい実施形態に基づき図面を参照しながら説明する。
図１には、本発明の一実施形態である吸収性物品１０の断面図が示されている。吸収性物品１０は、着用者の腹側から股間部を介して背側に延びる前後方向に沿う縦方向Ｘとこれに直交する横方向Ｙとを有する縦長の形状をしている。吸収性物品１０としては、例えば展開型の使い捨ておむつ、パンツ型の使い捨ておむつ、生理用ナプキン、パンティライナ及び補助パッド等が挙げられる。
【００１１】
吸収性物品１０は、図１に示すように、着用者の肌対向面を形成する表面シート１と、非肌対向面を形成する裏面シート２と、両シート１，２間に介在配置された液保持性の吸収体３とを備える。そして、表面シート１と吸収体３との間にセカンドシート４が配されている。本明細書において、「肌対向面」とは、吸収性物品１０又はその構成部材における、着用時に着用者の肌側に向けられる面であり、「非肌対向面」とは、吸収性物品１０１又はその構成部材における、着用時に着用者の肌側とは反対側（着衣側）に向けられる面である。
【００１２】
表面シート１としては、液透過性を有するシート、例えば不織布や穿孔フィルムなどを用いることができる。表面シート１は、その肌対向面側が凹凸形状になっていてもよい。例えば表面シート１の肌対向面側に、散点状に複数の凸部を形成することができる。又は、表面シート１の肌対向面側に、一方向に延びる畝部と溝部とを交互に形成することができる。そのような目的のために、２枚以上の不織布を用いて表面シート１を形成することもできる。
【００１３】
裏面シート２としては、例えば液難透過性のフィルムやスパンボンド・メルトブローン・スパンボンド積層不織布などを用いることができる。液難透過性のフィルムに、複数の微細孔を設け、該フィルムに水蒸気透過性を付与してもよい。吸収性物品１０の肌触り等を一層良好にする目的で、裏面シート２の外面である非肌対向面に不織布等の風合いの良好なシートを積層してもよい。
【００１４】
吸収体３としては、パルプ繊維等の繊維の集合体に吸水性ポリマーの粒子を保持させてなる吸収性コアを、親水性シート、例えば、透水性の薄紙（ティッシュペーパー）や透水性の不織布からなるコアラップシートで被覆して形成されたものを用いることができる。
【００１５】
吸収性物品１０は、表面シート１、裏面シート２及び吸収体３に加え、具体的な用途に応じ、肌対向面側の縦方向Ｘに沿う両側部に、縦方向に沿って延びる防漏カフが配されていてもよい。防漏カフは一般に、基端部と自由端とを備えている。防漏カフは、吸収性物品１０の肌対向面側に基端部を有し、肌対向面側から起立している。防漏カフは、液抵抗性ないし撥水性で且つ通気性の素材から構成されている。防漏カフの自由端又はその近傍には、糸ゴム等からなる弾性部材を伸長状態で配してもよい。吸収性物品１０の着用状態においてこの弾性部材が収縮することによって、防漏カフが着用者の身体に向けて起立するようになり、表面シート１上に排泄された液が、表面シート１上を伝い吸収性物品１０の横方向Ｙ外方へ漏れ出すことが効果的に阻止される。
【００１６】
吸収性物品１０は、更に、非肌対向面の表面に粘着剤層を有していてもよい。粘着剤層は、吸収性物品１０の着用状態において、吸収性物品１０を、下着や別の吸収性物品に固定するために用いられる。
【００１７】
セカンドシート４は、撥水性のシートであり、表面シート１側に向けられる面の全面、即ち肌対向面４Ａの全面が撥水性であることが好ましい。本発明における「撥水性」とは、体液の液透過性が低いものであればよい。具体的には、セカンドシート４は、その肌対向面４Ａ上に水滴を載せたときの接触角が、８０度以上のシートであることが好ましく、９０度以上のシートであることが更に好ましい。セカンドシート４が撥水性のシートであるので、体液をセカンドシート４の内部に保持し難い。それにより、例えば使用後の吸収性物品１０を表面シート１側から視たときに、セカンドシート４自体に由来する色（例えば白色）を視認させることができ、セカンドシート４より非肌対向面側に位置する吸収体３に吸収された体液の色を隠蔽することができる。特に、セカンドシート４における表面シート１側に向けられる面の全面が撥水性であれば、一層隠蔽することができる。
【００１８】
セカンドシート４は、図１に示すように、複数の凹陥部５を有している。凹陥部５は、表面シート１側に向けられる肌対向面４Ａ側が凹状となり、且つ吸収体３側に向けられる非肌対向面４Ｂ側が吸収体３に向かって突出して吸収体３に接触している。即ち、セカンドシート４は凹陥部５にて吸収体３を構成するコアラップシートと接触している。セカンドシート４と吸収体３とが接触しているとは、セカンドシート４と吸収体３とが直接接触している場合のみならず、セカンドシート４と吸収体３とが接着剤を介して接合されている場合も含む意味である。凹陥部５は、平面視して、矩形状に形成されており、吸収性物品１０では、図２及び図３に示すように、縦方向Ｘに長い長方形状に形成されている。凹陥部５は、セカンドシート４の全体に亘って略均一に分布するように多数形成されている。
【００１９】
凹陥部５を有するセカンドシート４は、シート自体の無荷重下でのシート厚みｔ（凹陥部５を含むシート全体の厚みではなく、シート自体の厚み）が、０．０１ｍｍ以上であることが好ましく、０．０２ｍｍ以上であることが更に好ましく、そして、１ｍｍ以下であることが好ましく、０．５ｍｍ以下であることが更に好ましい（図１参照）。
凹陥部５を有するセカンドシート４は、その坪量が、２０ｇ／ｍ２以上であることが好ましく、２５ｇ／ｍ２以上であることが更に好ましく、そして、１００ｇ／ｍ２以下であることが好ましく、７５ｇ／ｍ２以下であることが更に好ましい。
【００２０】
セカンドシート４は、図１に示すように、各凹陥部５に対応する位置において、肌対向面４Ａが凹状を形成しており、表面シート１と接していない状態となっている。セカンドシート４における凹陥部５が形成されていない部位（非凹陥部）は、図２及び図３に示すように、表面シート１に接する頂部４１となっている。頂部４１は凹陥部５の周囲に略平坦状に形成されている。頂部４１は、縦方向Ｘに沿って連続する帯状に形成されており、また横方向Ｙに沿って連続する帯状に形成されている。
【００２１】
凹陥部５は、図２及び図３に示すように、略平坦な頂部４１から吸収体３に向かって窪んで形成されており、縦方向Ｘに延びる一対の側壁部５ｓ，５ｓと、横方向Ｙに延びる一対の端壁部５ｅ，５ｅと、一対の側壁部５ｓ，５ｓ及び一対の端壁部５ｅ，５ｅで周縁が囲まれた底部５ｂとを有している。底部５ｂは、凹陥部５を平面視したときの形状に対応しており、平面視して、縦方向Ｘに長い長方形状に形成されている。セカンドシート４を図３に示すように平面視して、凹陥部５は、縦方向Ｘに一定の間隔を空けて配されている。このように縦方向Ｘに配された凹陥部５の群が、横方向Ｙに一定の間隔を空けて配されている。
【００２２】
凹陥部５の内部に体液を残留し難くする観点から、凹陥部５は、図２に示すように、その深さｄが、横方向Ｙにおける長さ、言い換えれば、底部５ｂにおける横方向Ｙの長さよりも小さいことが好ましい。具体的には、凹陥部５は、その深さｄが、０．１ｍｍ以上であることが好ましく、０．２ｍｍ以上であることが更に好ましく、そして、５ｍｍ以下であることが好ましく、１ｍｍ以下であることが更に好ましい。深さｄは、最も深い位置での深さである。また、底部５ｂにおける横方向Ｙの長さが、０．１ｍｍ以上であることが好ましく、０．５ｍｍ以上であることが更に好ましく、そして、５ｍｍ以下であることが好ましく、３ｍｍ以下であることが更に好ましい。横方向Ｙの長さは、最も広い位置での長さである。また、底部５ｂにおける縦方向Ｘの長さが、０．５ｍｍ以上であることが好ましく、１ｍｍ以上であることが更に好ましく、そして、５ｍｍ以下であることが好ましく、３ｍｍ以下であることが更に好ましい。縦方向Ｘの長さは、最も広い位置での長さである。
【００２３】
セカンドシート４によって体液を吸収した吸収体３の色を隠蔽し易くする観点から、吸収体３の肌対向面におけるセカンドシート４と重なる領域の面積に対する、該重なる領域に位置する全凹陥部５の全底部５ｂの総面積の割合は、１０％以上であることが好ましく、２０％以上であることが更に好ましく、そして、セカンドシート４の強度維持の観点から８０％以下であることが好ましく、７０％以下であることが更に好ましい。
【００２４】
セカンドシート４は、図１に示すように、セカンドシート４を貫通する貫通孔５ｈを部分的に有している。貫通孔５ｈは、体液の通過孔として機能する。貫通孔５ｈは、セカンドシート４における平坦状の頂部４１に形成されておらず、凹陥部５に形成されており、セカンドシート４を構成するシートに部分的に形成されている。このように、セカンドシート４は、吸収体３に接触するまで突出する凹陥部５と貫通孔５ｈとを有しているので、吸収性物品１０の着用中に体液が排泄されると、表面シート１を介して移行された体液が直接或いは凹陥部５の底部５ｂを介して貫通孔５ｈへ流れ込むことにより、吸収体３へ移行され易い。そして、平坦状の頂部４１と凹陥部５の底部５ｂとの間に間隔が空いているセカンドシート４を吸収体３の肌対向面上に配しているので、体液を吸収した吸収体３の色が隠蔽され易く、着用者の不快感を軽減することができる。
【００２５】
貫通孔５ｈは、凹陥部５を構成する側壁部５ｓ又は端壁部５ｅに形成されていることが好ましいところ、吸収性物品１０では、図１及び図２に示すように、一対の側壁部５ｓ，５ｓそれぞれに形成されている。貫通孔５ｈは、吸収性物品１０では、側壁部５ｓにおける底部５ｂ寄りの部分に形成されている。このように、貫通孔５ｈが側壁部５ｓに形成されているので、凹陥部５の内部に体液が残留し難く、体液が吸収体３に移行され易く、使用後の吸収性物品１０を表面シート１側から視て、体液を吸収した吸収体３の色を隠蔽することができる。特に、貫通孔５ｈは、セカンドシート４を平面視して、縦方向Ｘに長い線状に形成されている。その為、セカンドシート４によって、体液を吸収した吸収体３の色を隠蔽し易く、着用者の不快感を軽減することができる。尚、貫通孔５ｈは、隠蔽性の観点からは、凹陥部５の底部５ｂには形成されていないことが好ましい。
【００２６】
貫通孔５ｈは、その形状が特に限定されるものではないが、吸収性物品１０では、図２に示すように、側壁部５ｓにおいて縦方向Ｘに長い矩形状に形成されている。貫通孔５ｈの開孔面積は、凹陥部５の内部に体液を残留し難くする観点から、０．１ｍｍ２以上であることが好ましく、０．２ｍｍ２以上であることが更に好ましく、そして、１００ｍｍ２以下であることが好ましく、３ｍｍ２以下であることが更に好ましい。貫通孔５ｈの開孔面積は、無荷重下のセカンドシート４における貫通孔５ｈを撮影した顕微鏡写真から求めることができる。同様な観点から、１個の凹陥部５において、一対の側壁部５ｓ，５ｓ及び一対の端壁部５ｅ，５ｅから形成される壁部の総面積に対する全貫通孔５ｈの総開孔面積の割合は、１０％以上であることが好ましく、２０％以上であることが更に好ましく、そして、セカンドシート４の強度維持の観点から８０％以下であることが好ましく、７０％以下であることが更に好ましい。
【００２７】
セカンドシート４は、複数の微細孔を、シートの全面に有している。複数の微細孔はシートの全面にランダムに配されている。セカンドシート４を構成するシートとしては、不織布、多孔性フィルム等が挙げられ、吸収性物品１０では、多孔性フィルムが用いられている。セカンドシート４が複数の微細孔を有すると、光の反射が起き易く、光の散乱性が増加する。その為、体液を吸収した吸収体３の色をセカンドシート４で更に隠蔽することができる。
【００２８】
多孔性フィルムで形成されたセカンドシート４において、微細孔は、その開孔径が、光の散乱性を増加させて体液を吸収した吸収体３の色を隠蔽する観点から、０．１μｍ以上であることが好ましく、０．２μｍ以上であることが更に好ましく、そして、２０μｍ以下であることが好ましく、３μｍ以下であることが更に好ましい。微細孔の開孔径は、微細孔を撮影した顕微鏡写真から求めることができる。開孔径は微細孔において最も狭い位置での間隔である。
【００２９】
多孔性フィルムとしては、フィルム自身が液を保持しにくく、底部５ｂもまた、液を保持する事なく、吸収体３の赤みを隠蔽する観点から、フィルム表面が撥水性であり、また、フィルム内部に屈折率の異なる界面を形成することにより光の散乱性を増加させて体液を吸収した吸収体３の色を隠蔽する観点から、ポリオレフィン樹脂から形成され且つ粒状物を含むフィルムであることが好ましい。ポリオレフィン樹脂としては、ポリプロピレン樹脂、エチレンとプロピレンとのブロック共重合樹脂、又は該ブロック共重合樹脂とポリプロピレン樹脂又はポリエチレン樹脂との混合物等が挙げられる。粒状物としては、炭酸カルシウム、石膏、硫酸バリウム、タルク、クレー、シリカ、酸化チタン、金属粉等の無機物が挙げられる。粒状物は、平均粒径１００ｎｍ以上５μｍ以下で且つ最大粒径２０μｍ以下のものである。微細孔を有する多孔性フィルムは、粒状物を含むポリオレフィン樹脂の溶融混練物から成形したシートを、少なくとも一つの方向に延伸することによって形成できる。このように形成された微細孔は一方向に延びており、一方向に延びる微細孔は、吸収性物品１０においては、体液を吸収した吸収体３の色を隠蔽する観点から、吸収性物品１０の縦方向Ｘに一致するように配されることが好ましい。
【００３０】
粒状物の平均粒径は、次の方法により測定することができる。
（ｉ）測定対象が吸収性物品１０の表面材等に用いられている繊維である場合、吸収性物品にコールドスプレーを吹きかけて接着剤を固化し、表面材等を吸収性物品から丁寧に剥がす。剥がした表面材を赤色標準板（日本電子株式会社製）の上において、交互に隠蔽性の違いがある２領域を目視で確認する。次いで、ピンセットを用いて繊維を３本取り出す。このとき繊維を抜き出す場所は任意だが、エンボス等で融着してフィルム化している領域は除く。また、測定対象が吸収性物品などに複合化されていない繊維である場合や、不織布である場合も任意に３本の繊維をピンセットで取り出す。
（ｉｉ）１本の繊維を観察しやすい長さに切り、試料台にカーボンテープ等を用いてセットする。走査型電子顕微鏡で電荷のチャージを防ぐため表面を金やオスミウム等でコーティングする。
（ｉｉｉ）走査型電子顕微鏡（ＪＣＭ−５１００  商品名、日本電子株式会社製）を用いて、印加電圧２．０ｋＶ以上、５０倍の低倍率で繊維を測定画面の中央部分に移動させる。
（ｉｖ）繊維表面の任意の場所で、繊維の中央部分（繊維径の端点と端点を結んだ線分の中心）にピントを合わせ、倍率を増加させる。このとき、観察する倍率は繊維径によるものとし、繊維中のある点において繊維径が画面内に入るように倍率を変える（繊維が細い径の場合は、倍率を増加して観察し、太径の繊維では倍率を低減して観察する。）観察視野は、繊維径が画面に入る視野、おおよそ画面の縦の長さに対し、繊維径が０．８倍〜０．９倍となるような視野を選択する。
（ｖ）繊維表面の観察結果を写真撮影する。さらに、写真に定規を用いて、粒状物の径を測定し、その平均値を平均粒径とする。
【００３１】
尚、構成するシートとして不織布が用いられているときの微細孔とは、構成繊維どうしの繊維間を意味する。不織布で形成されたセカンドシート４において、微細孔である繊維間の繊維間距離は、体液を吸収した吸収体３の色を隠蔽する観点から、２μｍ以上であることが好ましく、４μｍ以上であることが更に好ましく、そして、１０μｍ以下であることが好ましく、７μｍ以下であることが更に好ましい。繊維間距離は、走査型電子顕微鏡（ＪＣＭ−５１００  商品名、日本電子株式会社製）の画像をもとに、交差する繊維の交点から垂線をおろし、その垂線を延長したときに、最初に直行する繊維までの距離とする。
【００３２】
吸収性物品１０に用いる、貫通孔５ｈを凹陥部５に有するセカンドシート４は、例えば、凹陥部５の形状に対応する凸部を周面に備える金属製の凸ロールと、該凸部に対応する位置に該凸部の形状に合致する凹部を周面に備える金属性の凹ロールとを用いて製造することができる。具体的には、不織布、又は多孔性フィルムを、金属製の凸ロールと凹ロールとの間の噛み合い部分に供給することによって、凹陥部５を形成しながら貫通孔５ｈを形成して、セカンドシート４を製造することができる。
【００３３】
以上、本発明をその好ましい実施形態に基づき説明したが、本発明は前記実施形態に制限されず適宜変更可能である。
例えば、セカンドシート４において凹陥部５を千鳥格子状に配置してもよい。
【００３４】
また、セカンドシート４の配置位置は、吸収体３の肌対向面の全域だけでなく、特定の一部の領域のみ、例えば、着用時に着用者の排泄部に対向配置される排泄部対向部にのみ配されていてもよい。
【実施例】
【００３５】
以下、実施例により本発明を更に詳細に説明する。しかしながら本発明の範囲は、かかる実施例に制限されない。
【００３６】
〔実施例１〕
実施例１として、図２及び図３に示す構造の多孔性フィルム（太洋製膜股▲分▼有限公司製）製の凹陥部を有するセカンドシートを作製した。実施例１のセカンドシートは、そのシート厚み（凹陥部５を含むシート全体の厚みではなく、シート自体の厚み）が０．０３ｍｍであり、その坪量が３７ｇ／ｍ２であった。実施例１のセカンドシートの凹陥部は、その深さｄが０．３ｍｍであり、横方向Ｙの長さが０．６ｍｍであり、縦方向Ｘの長さが１．０ｍｍであった。実施例１のセカンドシートの全面積に対する、全凹陥部の全底部の総面積の割合は４２％であり、各貫通孔の開孔面積０．９６ｍｍ２であった。また、実施例１のセカンドシートの微細孔は、その開孔径が孔の中に径をとったときに最大となる径の平均値が１．６ｎｍ、最小となる径（短軸）の平均値が０．８μｍであった。
【００３７】
〔実施例２〕
実施例２として、メルトブローン不織布（三井化学株式会社社製、Ｍ６１５０）製の凹陥部を有するセカンドシートを用いた。シートの坪量は１５ｇ／ｍ２であった。実施例２のセカンドシートの微細孔である繊維間の繊維間距離は３μｍであった。実施例２のセカンドシートにおいて、セカンドシートを構成するシートの種類及び繊維間の繊維間距離以外は、実施例１のセカンドシートと同様であった。
【００３８】
〔比較例１〕
比較例１として、不織布製の凹陥部及び貫通孔を有さないセカンドシートを用いた。このセカンドシートは、ロリエスピードプラススリムガード長時間しっかり昼用２５ｃｍ（商品名、花王株式会社、２０１４年製）の表面材の下に配されているセカンドシートを、周囲の糊付けされている部分を、コールドスプレーを使って剥がして用いた。比較例１のセカンドシートの微細孔は、その繊維間距離が４０μｍであった。比較例１のセカンドシートにおいて、セカンドシートを構成するシートの種類、凹陥部及び貫通孔の有無、並びに繊維間の繊維間距離以外は、実施例１のセカンドシートと同様であった。
【００３９】
〔評価〕
実施例及び比較例のセカンドシートについて、隠蔽率を測定した。その結果を表１に示す。
【００４０】
〔セカンドシートの隠蔽率〕
隠蔽率は、日本電色工業株式会社製の簡易型分光色差計ＮＦ３３３を用いて、次のようにして測定を行った。初めに、付属の標準板（赤色面を測定面とする）について測定した。得られた吸収波長の中でも特に５００ｃｍ−１を選択し、この際の反射率を記録した（Ｒａ）。次に標準板（赤色板）を外して、試料台に実施例１及び２並びに比較例１のセカンドシートを置き、更に不織布試料裏面（測定面とは逆の面）と標準板（赤色板）の赤色面が向き合うように標準板（赤色板）を置いた。測定は１サンプルについて異なる部位で計５回測定し、５００ｃｍ−１の反射率の平均値（Ｒｂ）を算出した。得られたＲａ、Ｒｂの値より、赤色隠蔽率を下記式（１）により求めた。
赤色色隠隠蔽率（％）＝〔（Ｒｂ−Ｒａ）／（１００−Ｒａ）〕×１００  （式１）
上記の結果得られた値が高い値であるほど、不織布の隠蔽性として高い性能を示し、白色の不織布越しに見た赤みを隠蔽することができる。
【００４１】
次に、実施例１及び２並びに比較例１のセカンドシートを用いて生理用ナプキンを作製した。これらの生理用ナプキンは、表面シート、裏面シート、セカンドシート及び吸収体を備えたものである。表面シート、裏面シート及び吸収体としては、花王株式会社、２０１４年製の生理用ナプキンである商品名「ロリエスピードプラススリムガード長時間しっかり昼用２５ｃｍ」から取り出した表面シート、裏面シート及び吸収体を用いた。セカンドシートとしては、取り出したセカンドシートに代えて、それぞれ、実施例１及び２並びに比較例１のセカンドシートを用いた。
【００４２】
〔評価〕
実施例及び比較例のセカンドシートを用いた生理用ナプキンについて、吸液後の吸収体のＬ＊値を測定した。その結果を表１に示す。
【００４３】
〔吸液後の吸収体のＬ＊値〕
疑似血液として、株式会社日本バイオテスト研究所製の馬脱繊維血液を８．０ｃＰ（２５℃）に調整したものを用いた。そして疑似血液を、実施例１及び２並びに比較例１のセカンドシートを用いた生理用ナプキンの肌対向面側における長手方向及び幅方向の中央部に注入した。注入は、表面シート側が鉛直上方を向くようにして水平に置き、底部に直径１０ｍｍの注入口が付いた円筒付きアクリル板を重ねて、注入口から３ｇ注入した。次いで円筒付きアクリル板を取り除き、６０秒間静置した。その後、注入口から３ｇ注入し、３４分静置したのち、吸液後の実施例及び比較例のセカンドシートを用いた生理用ナプキンについて、日本電色工業株式会社製の簡易型分光色差計ＮＦ３３３を用いて、上述の疑似血液を投入した表面シートの位置におけるＬ＊値を測定した。Ｌ＊値（明度）はその値が大きいほど、色が白に近づき、表面シートから吸液後の吸収体の赤みが見え難いことを示す。
【００４４】
【表１】
2019058340.tif 000003
【００４５】
表１に示す結果から明らかなとおり、各実施例のセカンドシートは、比較例のセカンドシートに比べて、高い隠蔽率を有することが分かった。また表１に示すように、各実施例のセカンドシートを用いた生理用ナプキンは、比較例のセカンドシートを用いた生理用ナプキンよりもＬ＊値が高く、表面シートから吸液後の吸収体の赤みが見え難いことが分かった。よって、各実施例のセカンドシートを用いて生理用ナプキンを作製することで、比較例のセカンドシートを用いた場合に比べて、経血を吸収した吸収体の色を隠蔽し易く、使用後の生理用ナプキンに対する使用者の不快感を軽減できることが期待できる。
【符号の説明】
【００４６】
１０  吸収性物品
１  表面シート
２  裏面シート
３  吸収体
４  セカンドシート
４Ａ  セカンドシートの肌対向面
４Ｂ  セカンドシートの非肌向面
４１  頂部
５  凹陥部
５ｓ  側壁部
５ｅ  端壁部
５ｂ  底部
５ｈ  貫通孔
Ｘ  縦方向
Ｙ  横方向
【図１】
2019058340.tif 000004
【図２】
2019058340.tif 000005
【図３】
2019058340.tif 000006